(57)【特許請求の範囲】
【請求項１】
岩盤または法面保護構造物からなる硬質の斜面上に植物の生育基盤材料を保持するための保持棚であって、水平方向へ互いに間隔をおいて配置されかつ一部が露出するように地山に埋設された複数の棒状の支持部材と、前記支持部材の露出部に支持されかつ前記生育基盤材料の保持面を規定する透水性のシートとからなり、該シートは、前記斜面に接する、該斜面に垂直な下端部を有する、保持棚。
【請求項２】
前記支持部材が前記斜面に対して垂直に伸びる根入れ部を有し、前記支持部材の露出部が前記根入れ部に連なりかつ前記斜面に対して垂直に伸びる第１の部分と、該第１の部分から鉛直上方に伸びる第２の部分とからなる、請求項１に記載の保持棚。
【発明の詳細な説明】
【０００１】
【発明の属する技術分野】
本発明は、斜面の緑化のために該斜面上に植物の土壌となる生育基盤材料を保持するための保持棚、より詳細には、岩盤、または、モルタル吹付工、コンクリート吹付工、コンクリート張工のような法面保護工により形成された、法面を覆う構造物からなる硬質の斜面に適用される保持棚に関する。
【０００２】
【従来の技術】
従来、岩質切り土法面や、モルタル吹付面のような土壌的に植物条件の悪い斜面の緑化のため、該斜面上に保持棚を設置し、該保持棚に植物の生育基盤材料を配置することが提案されている（特開平１０−２４５８４８）。
【０００３】
前記従来の保持棚は、全体にコの字形を呈する複数の支持部材と、これらの支持部材に支持され前記生育基盤材料の保持面を規定する網とからなる。前記支持部材は、水平方向へ互いに間隔をおいて配置されかつその一対の自由端部が地山に埋設されている。
【０００４】
【発明が解決しようとする課題】
ところで、前記保持棚が適用される岩質切り土法面からなる斜面や、法面に吹き付けられたモルタル層が規定する斜面等は硬質であるため、前記支持部材の設置のためにこれを斜面に打ち込むことは実際には困難である。そこで、前記斜面に一対の穴をあけ、これらの穴に前記支持部材の両端部を差し入れることが考えられるが、前記支持部材の両自由端部の相互間隔と等しい一対の穴を穿つことも、また、実際には困難である。
【０００５】
したがって、本発明の目的は、硬質の斜面への設置が容易である、植物の生育基盤材料用保持棚を提供することにある。
【０００６】
【課題を解決するための手段】
本発明は、岩盤または法面保護構造物が規定する硬質の斜面上に植物の生育基盤材料を保持するための保持棚であって、水平方向へ互いに間隔をおいて配置されかつ一部が露出するように地山に埋設された複数の棒状の支持部材と、前記支持部材の露出部に支持されかつ前記生育基盤材料の保持面を規定する透水性のシートとからなり、該シートは、前記斜面に接する、該斜面に垂直な下端部を有する、生育基盤材料用保持棚を提供する。
【０００７】
前記支持部材は、好ましくは、前記斜面に対して垂直に伸びる根入れ部を有し、前記露出部が前記根入れ部に連なりかつ前記斜面に対して垂直に伸びる第１の部分と、該第１の部分から鉛直上方に伸びる第２の部分とからなる。
【０００８】
【発明の作用および効果】
本発明によれば、支持部材が棒状であることから、各支持部材を岩盤や法面保護構造物からなる硬質の斜面に設置するための穿孔は、各支持部材について１つで足りる。各支持部材について単一の穴を穿つ作業は、正確な相互間隔を有する２つの穴を穿つ作業に比べて容易であり、このことは複数の支持部材を含む保持棚の設置を容易にする。
【０００９】
また、前記支持部材の根入れ部とこれに連なる露出部の一部分（第１の部分）とについてこれらを前記斜面に対して垂直に伸びるものとすることにより、前記支持部材の根入れ効果を高めるとともに、前記第１の部分を有しない場合と比べて、前記支持部材の露出部と前記斜面との間に前記生育基盤材料を保持するためのより大きい空間すなわち大きい根張り領域を確保することができる。
【００１０】
【発明の実施の形態】
図１を参照すると、法面１０の保護構造物１２が規定する斜面１４の緑化のため、斜面１４上に、植物１６の土壌となる生育基盤材料１８が本発明の保持棚２０により保持されている。
【００１１】
保護構造物１２は、法面１０の風化、浸食防止等のためにモルタル吹付工、コンクリート吹付工、コンクリート張工等の法面保護工を施すことにより形成された、法面１０を覆うモルタル層、コンクリート層等からなり、これらの層は硬い表面すなわち硬質の斜面１４を規定する。保護構造物１２には、植物１６の根張り、水分の移動等のための複数の小孔２２が穿たれている。
【００１２】
本発明の保持棚２０は、保護構造物１２のほか、同様に硬質の斜面を規定する岩盤に形成された法面（例えば岩質切り土法面）にも適用可能である。
【００１３】
植物１６は、播種、植栽等により、保持棚２０上の生育基盤材料１８において生育される。生育基盤材料１８は、例えば、土、団粒化剤、肥料等の混合物、該混合物にさらに木材のチップが混入されたもの等からなる。
【００１４】
保持棚２０は、複数の棒状の支持部材２４と、これらの支持部材２４に支持され、生育基盤材料１８の保持面を規定する透水性のシート２６とからなる。図示の例では、複数の保持棚２０が斜面１４に沿って段々に配置されている。
【００１５】
支持部材２４は丸鋼材、山形鋼材、Ｈ型鋼材等の鋼製部材、プラスチック製部材、コンクリート製部材等からなり、全体にくの字形に折れ曲がった外形を有する。
【００１６】
複数の支持部材２４は水平方向へ互いに間隔（例えば３０ｃｍの間隔）をおいて配置され、その一部２８が露出するように地山３０に埋設されている。各支持部材２４の埋設は、例えば削孔機械（図示せず）を用いて、保護構造物１２を経て地山３０中に伸びる単一の穴３２を穿ち、該穴に支持部材２４を差し入れかつ該穴にモルタルを注入することにより行うことができる。穴３２の長さ、すなわち支持部材２４の根入れ深さは、地山の強度、固結強度等によるが、概ね３０−５０ｃｍとすることができる。
【００１７】
好ましくは、支持部材２４の一部２８すなわち根入れ部が斜面１４に対して地山３０中を垂直に伸び、かつ、折れ曲がり箇所３４を含む部分（露出部）３６が穴３２の外部に露出するように設置する。これにより、前記垂直以外の角度に設定する場合と比べて、支持部材２４の根入れ効果をより高いものとすることができる。
【００１８】
また、これにより、露出部３６における折れ曲がり箇所３４と根入れ部２８との間の部分（第１の部分）３８が斜面１４に対して空中を垂直に伸びるようにすることができる。その結果、折れ曲がり箇所３４が斜面１４上に位置するように設定、配置する場合と比べて、露出部３６と斜面１４とが規定する空間、すなわち生育基盤材料１８を保持し得る領域をより大きいものとすることができる。
【００１９】
また、好ましくは、露出部の第１の部分３８に折れ曲がって連なる第２の部分４０が鉛直上方に伸びるように設定する。
【００２０】
支持部材２４の数量は、支持棚２０の幅寸法（斜面１４を横断する方向である水平方向に関する長さ寸法）に応じて、任意に定めることができる。
【００２１】
透水性のシート２６は、これらの支持部材２４の山側に配置されている。シート２６は、支持部材２４の支持部材の露出部３６に沿って折り曲げられた状態で張られ、斜面１４を横断する方向へ伸びている。
【００２２】
シート２６は、例えば針金のような線材、結束バンド等（図示せず）を用いて各支持部材２４の露出部３６に固定することができる。また、斜面１４の横断方向に関するシート２６の両端部はそれぞれ斜面１４に固定することができる。
【００２３】
支持部材２４に支持されたシート２６は、斜面１４と共同して、植物の生育基盤材料１８の保持面を規定し、また、保持空間を形成する。
【００２４】
シート２６は、支持部材２４による支持の下、生育基盤材料１８の重量または側圧に耐え得る強度を有し、また、雨水等を通す性質を有する、例えば、不織布、織布、メッシュ等からなる。
【００２５】
シート２６は、図示の例のほか、生育基盤材料１８の流出防止のため、さらに生育基盤材料１８の表面を覆うものとすることができる。また、シート２６上に載置される生育基盤材料１８は、例えばメッシュを用いて形成された袋体に詰め込まれた土嚢（図示せず）の形態を有するものであってもよい。
【図面の簡単な説明】
【図１】斜面に設置された保持棚の縦断面図である。
【符号の説明】
１２  法面保護構造物
１４  斜面
１６  植物
１８  生育基盤材料
２０  保持棚
２４  支持部材
２６  透水性シート
２８，３６  支持部材の根入れ部および露出部
３８，４０  露出部の第１および第２の部分
【図１】
0004368462.tif 000002